(57)【要約】【課題】箱体が開いた時に構造が安定し、且つ揺れない折畳式収納装置を提供する。【解決手段】折畳式収納装置は、平面状に畳み、空間を取らず、保存、運送に便利である。また箱体を開いて立てた時、物品を収納する箱体を形成する。本発明は、最上板、底板、二枚の側面板を枢設方式によって結合する筐体で、側面板に背面板を設置する。背面板で筐体の後端開口を塞ぎ、物品を収納する箱体となる。この箱体は、方形枠条と平面板によって、箱体の前後を支持して安定構造にする。【選択図】図１
2007112496.tif 000002
【特許請求の範囲】
【請求項１】
最上板、底板及び二枚の側面板が枢設方式によって結合した箱体と側面板に枢設する背面板から構成された折畳式収納装置において、
最上板、底板、二枚の側面板は、相互に連結した枢設軸を軸心として回転して開いた方形箱体で、背面板は、その箱体の後端開口内に嵌入して塞ぎ、収納箱を形成し、背面板の周辺縁は最上板、底板、側面板の後端に対して支持作用を具え、別に箱体の前端には方形枠条を設置し、その方形枠条の形状、サイズは箱体内縁の口径に相当し、方形枠条が箱体前端に対して支持作用を具えることを特徴とする折畳式収納装置。
【請求項２】
請求項１記載の折畳式収納装置において、前記背面板は、閂部品を設置し、背面板が箱体の開口を塞いだ時、背面板の位置を定位することを特徴とする、折畳式収納装置。
【請求項３】
請求項１記載の折畳式収納装置において、前記最上板、底板、側面板は、それらの後端近くに箱体内向きに突出した凸ふちが設置され、停止作用を具え、背面板が過度に筐体内に入ることを防止することを特徴とする、折畳式収納装置。
【請求項４】
請求項１記載の折畳式収納装置において、前記背面板と側面板は、その間に枢設部品を設置し、その枢設部品の前端は、側面板と枢設し、後縁は背面板と枢設され、この枢設部品の設置により、背面板が筐体後端の開口を塞いだ時、背面板を調整して横向きに移動させ、背面板を箱体とより合わさりやすいようにすることを特徴とする、折畳式収納装置。
【請求項５】
請求項１記載の折畳式収納装置において、前記方形枠条は、前端桿が側面板前縁の曲片に覆われ、方形枠条を側面板の内側でしっかりと支え、且つその前端桿を軸心として回転することを特徴とする、折畳式収納装置。
【請求項６】
請求項１記載の折畳式収納装置において、前記二枚の側面板は、少なくとも一列の溝孔が対応して設置され、各溝孔の数は少なくとも二つあることを特徴とする、折畳式収納装置。
【請求項７】
請求項６記載の折畳式収納装置において、前記二枚の側面板上の溝孔は、Ｌ字型鈎を具えたレールにＬ字型鈎を掛け、レールを架設することを特徴とする、折畳式収納装置。
【請求項８】
請求項１記載の折畳式収納装置において、前記最上板と底板は、その前縁枠側面位置に、上下に対応する小孔が設置され、その二つの小孔に前ドアの上下に設置された凸ピンを入れることにより、前ドアは上下凸ピンを軸心として回転して開閉する箱体を形成することを特徴とする、折畳式収納装置。
【請求項９】
請求項８記載の折畳式収納装置において、前記前ドアの凸ピンは、バネに設置し、そのバネの一端は掛合鈎上に定位し、バネの別端は自由端とし、この凸ピンを自由端に設置し、凸ピンが伸縮性を具えることを特徴とする、折畳式収納装置。
【発明の詳細な説明】
【技術分野】
【０００１】
本発明は、折畳式収納装置に関するもので、開くと立体の箱体の収納装置となり、畳めば平面で保存、運送が便利なものである。
【背景技術】
【０００２】
収納装置内部には、一定の空間が必要であり、一定の体積がある。内部の空間が大きければ、体積も大きくなる。
コスト計算には、運送コストも組み入れられるが、公知の収納箱の大部分は、固定箱体であるため、入庫には大きな空間が必要で、且つ運送コストも上がる。
市場には、金属網片を枢設した置物箱があり、折畳が可能であり、場所を取らずにすむが、組立後、揺れやすく、構造的に弱い。また網片には大きな穴が開いているため、中のものが丸見えで隠す収納に適さない。
【発明の開示】
【発明が解決しようとする課題】
【０００３】
解決しようとする問題点は、折り畳めないために、体積が大きくなり、また金属網片による折り畳み箱体は、揺れやすく、構造的に弱い点である。
【課題を解決するための手段】
【０００４】
本発明は、平面状に畳み、空間を取らず、保存、運送に便利である。また箱体を開いて立てた時、物品を収納する箱体を形成する。本発明は、最上板、底板、二枚の側面板を枢設方式によって結合する筐体で、側面板に背面板を設置する。背面板で筐体の後端開口を塞ぎ、物品を収納する箱体となる。この箱体は、方形枠条と平面板によって、箱体の前後を支持して安定構造にすることを最も主要な特徴とする。
【０００５】
請求項１の発明は、最上板、底板及び二枚の側面板が枢設方式によって結合した箱体と側面板に枢設する背面板から構成された折畳式収納装置において、
最上板、底板、二枚の側面板は、相互に連結した枢設軸を軸心として回転して開いた方形箱体で、背面板は、その箱体の後端開口内に嵌入して塞ぎ、収納箱を形成し、背面板の周辺縁は最上板、底板、側面板の後端に対して支持作用を具え、別に箱体の前端には方形枠条を設置し、その方形枠条の形状、サイズは箱体内縁の口径に相当し、方形枠条が箱体前端に対して支持作用を具えることを特徴とする、折畳式収納装置としている。
請求項２の発明は、請求項１記載の折畳式収納装置において、前記背面板は、閂部品を設置し、背面板が箱体の開口を塞いだ時、背面板の位置を定位することを特徴とする、折畳式収納装置としている。
請求項３の発明は、請求項１記載の折畳式収納装置において、前記最上板、底板、側面板は、それらの後端近くに箱体内向きに突出した凸ふちが設置され、停止作用を具え、背面板が過度に筐体内に入ることを防止することを特徴とする、折畳式収納装置としている。
請求項４の発明は、請求項１記載の折畳式収納装置において、前記背面板と側面板は、その間に枢設部品を設置し、その枢設部品の前端は、側面板と枢設し、後縁は背面板と枢設され、この枢設部品の設置により、背面板が筐体後端の開口を塞いだ時、背面板を調整して横向きに移動させ、背面板を箱体とより合わさりやすいようにすることを特徴とする、折畳式収納装置としている。
請求項５の発明は、請求項１記載の折畳式収納装置において、前記方形枠条は、前端桿が側面板前縁の曲片に覆われ、方形枠条を側面板の内側でしっかりと支え、且つその前端桿を軸心として回転することを特徴とする、折畳式収納装置としている。
請求項６の発明は、請求項１記載の折畳式収納装置において、前記二枚の側面板は、少なくとも一列の溝孔が対応して設置され、各溝孔の数は少なくとも二つあることを特徴とする、折畳式収納装置としている。
請求項７の発明は、請求項６記載の折畳式収納装置において、前記二枚の側面板上の溝孔は、Ｌ字型鈎を具えたレールにＬ字型鈎を掛け、レールを架設することを特徴とする、折畳式収納装置としている。
請求項８の発明は、請求項１記載の折畳式収納装置において、前記最上板と底板は、その前縁枠側面位置に、上下に対応する小孔が設置され、その二つの小孔に前ドアの上下に設置された凸ピンを入れることにより、前ドアは上下凸ピンを軸心として回転して開閉する箱体を形成することを特徴とする、折畳式収納装置としている。
請求項９の発明は、請求項８記載の折畳式収納装置において、前記前ドアの凸ピンは、バネに設置し、そのバネの一端は掛合鈎上に定位し、バネの別端は自由端とし、この凸ピンを自由端に設置し、凸ピンが伸縮性を具えることを特徴とする、折畳式収納装置としている。
【発明の効果】
【０００６】
本発明の折畳式収納装置は、折畳式により、保存、運送のためのコストを削減し、且つ構造的に安定するという利点がある。
【発明を実施するための最良の形態】
【０００７】
図１から図４に示すとおり、本発明は、折畳式収納装置の箱体１である。この箱体１は、最上板１０、底板２０及び二枚の側面板３０、４０を枢設方式によって結合して筐体を形成し、側面板４０は背面板５０と枢設する。この筐体の最上板１０、底板２０及び二枚の側面板３０，４０は相互に連結した枢設軸を軸心として回転し、畳むと平面となる。図２に示すとおり、この背面板５０も同じく側面板４０の枢設軸を軸心として回転し、側面板４０に合わさる形体で、折り畳んで平面となる。
【０００８】
この最上板１０、底板２０及び二枚の側面板３０，４０は相互に連結する枢設軸を軸心として回転し、立体筐体を形成する。この背面板５０で筐体の後方開口を塞ぎ、物品を収納する収納箱体１を形成する。そのうち、背面板５０は、最上板１０、底板２０、二枚の側面板３０，４０が結合する筐体の開口方式で、箱体１の後方を塞ぐ。この背面板５０の周辺縁によって、最上板１０、底板２０、側面板３０の後端を支持する機能を具える。また箱体１の後端に定型の支持作用を具え、箱体１後端が揺れることがない。最上板１０、底板２０、側面板３０の後端近くには箱体内側に向かって突出する凸縁２１、３１（最上板１０の凸縁は未提示）は、背面板５０に対して停止作用を備え、背面板５０が過度に筐体内に入るのを防止する。この背面板５０には閂部品５１を設置し、背面板５０で箱体１後端の開口を塞いだ時に、背面板５０の位置を定位させる。この閂部品５１は実施例では、回転式のボタンを提示している。
【０００９】
前述の背面板５０と側面板４０の間に、枢設片６０を設置する。この枢設部品６０の前端は、側面板４０と枢設し、後縁は背面板５０と枢設する。この枢設部品６０の設置により、背面板５０を折り畳んだ時、側面板４０に合わさり、折り畳んだ時の平面度を高める。また枢設部品６０の設置により、背面板５０が箱体１後端の開口を塞いだ時、背面板５０が横向きに移動して背面板５０を更に結合しやすくする。
【００１０】
図５、６に示すとおり、この側面板４０の内側には隠蔽式の方形枠条７０設置される。この方形枠条７０の前端桿７１は、側面板４０前縁の曲片４１に覆われ、方形枠条７０が前端桿７１を軸心として回転し、箱体１の前縁まで移動させ、この箱体１前縁に支持作用が働く。この方形枠条７０の形体、サイズは、箱体１内縁の口径に相当し、方形枠条７０が箱体１前縁の定型支持作用を形成して、箱体１が揺れないようにする。
【００１１】
本発明の箱体１の前後端にはどちらも支持装置が設置され、箱体１を上下に重ねた時でも安定する。箱体１を上下に重ねやすいように、箱体１の最上板１０には四個の小孔１２を設置する。底板２０の底面には相対して四個の箱脚２２を設置し、箱脚２２を下方箱体１の最上板１０の小孔１２内に押し入れると、上方の箱体１が下方の箱体１上に安定して重なる。
【００１２】
この二枚の側面板３０，４０上には、三列の水平の溝孔３２，４２が成形され、各水平の溝孔４２の数は少なくとも二個ある。図７に示すとおり、四個のＬ字型鈎７３を具えた支持塊７２を二側面板３０，４０の中央の溝孔３２、４２に掛け、板面７４を各支持塊７２上に置き、箱体１内部を上下二層にする。図８、９に示すとおり、少なくとも二個のＬ字型鈎７６を具えた二個のレール７５をそれぞれ二枚の側面板３０、４０上の溝孔３２内に掛け、引き出し８０をレール７５に沿って箱体１内に入れる。少なくとも二個のＬ字型鈎７６を具えた二本のレール７５を二枚の側面板３０，４０の溝孔３２、４２に掛け、引き出し８０をレール７５に沿って箱体内に入れてもよい。これにより、箱体１は二個の引き出し８０を具える。
【００１３】
図１０から図１３に示すとおり、この最上板１０と底板２０の前縁の縁枠位置に上下対応するように小孔１３、２３を設置する。この二個の小孔１３，２３に前ドア８１の凸ピン８２を差し込み、前ドア８１を上下の凸ピン８２を軸心として回転させると、開閉式の箱体１を形成する。この前ドア８１上の凸ピン８２にはバネ８３を設置し、そのバネ８３の一端は掛合鈎８４上で定位し、バネ８３の別端は自由端とし、この凸ピン８２を自由端に設置する。これにより、凸ピン８２に伸縮性が具わり、前ドア８１の取外しが便利になる。
【図面の簡単な説明】
【００１４】
【図１】本発明の実施例の外観図である。
【図２】図１実施例の折畳時の外観図である。
【図３】図１実施例の展開動作図１である。
【図４】図３の俯瞰図である。
【図５】図１実施例の展開動作図２である。
【図６】図５に示す実施例の側面板前端の断面図である。
【図７】図１実施例内部に仕切板を設置した状態図である。
【図８】図１実施例内部にレールを設置した状態図である。
【図９】図８に示す実施例に引き出しを設置した状態図である。
【図１０】図１実施例に前ドアを設置した状態図である。
【図１１】図１０の分解図である。
【図１２】図１１の局部拡大図である。
【図１３】図１実施例に前ドアを設置した外観図である。
【符号の説明】
【００１５】
１  箱体
１０  最上板
１２  小孔
１３  小孔
２０  底板
２１  凸縁
２２  箱脚
２３  小孔
３０  側面板
３１  凸縁
３２  溝孔
４０  側面板
４１  曲片
４２  溝孔
５０  背面板
５１  閂部品
６０  枢設部品
７０  方形枠条
７１  前端桿
７２  支持塊
７３  Ｌ字型鈎
７４  板面
７５  レール
７６  Ｌ字型鈎
８０  引き出し
８１  前ドア
８２  凸ピン
８３  バネ
８４  掛合鈎
【図１】
2007112496.tif 000003
【図２】
2007112496.tif 000004
【図３】
2007112496.tif 000005
【図４】
2007112496.tif 000006
【図５】
2007112496.tif 000007
【図６】
2007112496.tif 000008
【図７】
2007112496.tif 000009
【図８】
2007112496.tif 000010
【図９】
2007112496.tif 000011
【図１０】
2007112496.tif 000012
【図１１】
2007112496.tif 000013
【図１２】
2007112496.tif 000014
【図１３】
2007112496.tif 000015